(57)【要約】【目的】視聴者に受像機を安価に販売又は無償で提供し、入手後も視聴者の支払い負担がなく、広告放送を効率良く視聴してもらい、デジタル放送を普及させることができる広告放送システムを提供すること。【構成】少なくとも２つ以上のデジタル放送チューナを持つ受像機と、前記受像機を販売又は配布する配布会社と、広告を放送する広告放送局から成るシステムを、前記受像機の前記チューナの１つを前記広告放送局の受信専用に選局固定する選局固定手段と、前記配布会社が規定した前記広告を視聴する時間の設定手段と、前記広告の視聴時間を蓄積・監視する手段とを併せ持ち、前記受像機のＩＤと前記チューナの選局固定を解除する手段を前記配布会社が管理する機構と、前記広告放送局が前記配布会社に対して前記チューナの選局固定に対する対価を支払う機構を含んで構成する。【選択図】      図１
2004227504.tif 000002
【特許請求の範囲】
【請求項１】
少なくとも２つ以上のデジタル放送チューナを持つ受像機と、前記受像機を販売又は配布する配布会社と、広告を放送する広告放送局から成るシステムであり、
前記受像機の前記チューナの１つを前記広告放送局の受信専用に選局固定する選局固定手段と、前記配布会社が規定した前記広告を視聴する時間の設定手段と、前記広告の視聴時間を蓄積・監視する手段とを併せ持ち、前記受像機のＩＤと前記チューナの選局固定を解除する手段を前記配布会社が管理する機構と、前記広告放送局が前記配布会社に対して前記チューナの選局固定に対する対価を支払う機構から成ることを特徴とする広告放送システム。
【請求項２】
少なくとも２つ以上のデジタル放送チューナを持つ受像機と、前記受像機を販売又は配布する配布会社と、広告を放送する広告放送局から成るシステムであり、
前記受像機の前記チューナの１つを前記広告放送局の受信専用に選局固定する選局固定手段と、前記配布会社が規定した前記広告を視聴する時間の設定手段と、前記広告の視聴時間を蓄積・監視する手段と、前記受像機が前記選局固定を解除する手段と、前記受像機のＩＤと前記選局固定解除結果を前記配布会社へ通知する手段とを併せ持ち、前記配布会社が前記受像機のＩＤと前記選局固定解除結果を管理する機構と、前記広告放送局が前記配布会社に対して前記チューナの選局固定に対する対価を支払う機構から成ることを特徴とする広告放送システム。
【請求項３】
前記受像機の受信中の放送番組が有料放送か無料放送かを判別する手段を持ち、前記有料放送受信時には、前記広告を表示せずに、前記有料放送のみを表示し、前記無料放送受信時には、前記広告と前記無料放送を同時に表示することを特徴とする請求項１又は２記載の広告放送システム。
【請求項４】
前記受像機の前記広告放送の視聴時間が前記規定時間を超えたことを前記配布会社に通知する手段と、前記配布会社が前記受像機の前記チューナの選局固定を解除する手段を持つことを特徴とする請求項１又は３記載の広告放送システム。
【請求項５】
前記受像機の配布台数と、前記チューナの選局固定を解除した受像機の台数に応じて前記広告放送局が前記配布会社に支払う前記対価が決められることを特徴とする請求項１〜４の何れかに記載の広告放送システム。
【発明の詳細な説明】
【０００１】
【発明の属する技術範囲】
本発明は、広告放送システムに関する。
【０００２】
【従来の技術】
近年、米国等では、デジタル方式で放送される放送番組の放映が開始され、高画質な放送番組が家庭で視聴できるようになった。日本国内においても、昨年末からＢＳ（衛星）デジタル放送の放送が開始され、既にサービスが開始されているデジタルＣＳ（通信衛星）放送と合わせて、放送番組の多チャンネル化が進んできている。
【０００３】
これらのデジタル放送は、ＭＰＥＧ（Ｍｏｖｉｎｇ  Ｐｉｃｔｕｒｅ  Ｅｘｐｅｒｔｓ  Ｇｒｏｕｐ  ）２等の圧縮技術を採用することにより、多チャンネル化を可能にしている。多チャンネル化によって、一度に放送される番組数が極めて多くなり、広告放送（コマーシャル）の放送数も増大させることが可能となっている。
【０００４】
【発明が解決しようとする課題】
しかしながら、その放送番組を視聴するためには専用の受信機を備えた高価なテレビ受像機を購入しなければならない。又、現在、一般的に発売されているようなデジタル方式専用の受信機を備えていないテレビ受像機で視聴するためには、音声／画像情報を変換するためのセットトップボックス（以下、ＳＴＢと略す）を新たに購入し、テレビ受像機とアンテナの間に接続・設置しなければならず、新たな出費のために、なかなか購入に踏み切れない視聴者もいる。
【０００５】
一方、デジタル放送対応受像機を購入した視聴者も、生活の中での視聴時間は殆ど変わらないと予想され、広告の増加数ほどには視聴者が視聴する数が増える訳ではない。又、チャンネル数増加に伴い、視聴者の視聴番組が分散することも考えられ、効率良く広告を見てもらえなくなる可能性も出てきた。
【０００６】
広告を多くの人に見てもらうためには、良質な番組を制作して、より多くの視聴者を集めることも大切であるが、むしろ視聴者の囲い込みとして個別視聴者に対して直接的なメリットを供与する方法が有効である。
【０００７】
例えば、今までも視聴者プレゼントといった方法が採られてきたが、番組視聴者へのプレゼントか広告主のプレゼント企画に応募させるための広告を流す程度しかできず、確実に広告を視聴させるという目的を満足させるものではなかった。
【０００８】
そこで、特開平７−３０３０８７号公報においては、広告を見た量に応じて課金が減る仕組みが提案されている。しかし、この提案では、視聴者の広告放送視聴時間の増加という点では目的を達成できるものの、有料放送のみに使用でき、無料放送では適用できなかった。
【０００９】
又、フリーＰＣのようにＰＣモニター上に広告を常に表示する代わりに、ＰＣ本体とインターネット接続を無料にするサービスがあるが、従来のテレビ受像機には広告のみを表示する機能がなかったため、テレビ受像機への応用ができないでいた。
【００１０】
更に、フリーＰＣはＰＣ入手後、ＰＣ配布会社が指定するプロバイダや通信会社と契約しなければならず、プロバイダ料金や通信料金が掛かり、使用者の負担が発生してしまうため、長期間使用する場合には必ずしも安価なＰＣではなかった。
【００１１】
本発明は上記問題に鑑みてなされたもので、その目的とする処は、受像機の配布会社が広告放送局のチューナ選局固定に対する対価を収入とすることで、視聴者に受像機を安価に販売又は無償で提供し、入手後も視聴者の支払い負担がなく、広告放送を効率良く視聴してもらい、デジタル放送を普及させることができる広告放送システムを提供することにある。
【００１２】
【課題を解決するための手段】
上記目的を達成するため、本発明は、少なくとも２つ以上のデジタル放送チューナを持つ受像機と、前記受像機を販売又は配布する配布会社と、広告を放送する広告放送局から成る広告放送システムを、前記受像機の前記チューナの１つを前記広告放送局の受信専用に選局固定する選局固定手段と、前記配布会社が規定した前記広告を視聴する時間の設定手段と、前記広告の視聴時間を蓄積・監視する手段とを併せ持ち、前記受像機のＩＤと前記チューナの選局固定を解除する手段を前記配布会社が管理する機構と、前記広告放送局が前記配布会社に対して前記チューナの選局固定に対する対価を支払う機構を含んで構成したことを特徴とする。
【００１３】
又、本発明は、少なくとも２つ以上のデジタル放送チューナを持つ受像機と、前記受像機を販売又は配布する配布会社と、広告を放送する広告放送局から成る広告放送システムを、前記受像機の前記チューナの１つを前記広告放送局の受信専用に選局固定する選局固定手段と、前記配布会社が規定した前記広告を視聴する時間の設定手段と、前記広告の視聴時間を蓄積・監視する手段と、前記受像機が前記選局固定を解除する手段と、前記受像機のＩＤと前記選局固定解除結果を前記配布会社へ通知する手段とを併せ持ち、前記配布会社が前記受像機のＩＤと前記選局固定解除結果を管理する機構と、前記広告放送局が前記配布会社に対して前記チューナの選局固定に対する対価を支払う機構を含んで構成したことを特徴とする。
【００１４】
【発明の実施の形態】
以下に本発明の実施形態を添付図面に基づいて説明するが、本発明はこれらの実施の形態に限定されるものではない。
【００１５】
図１は本発明の実施例の形態に係る広告放送システムの構成図である。
【００１６】
図１において、１０は２つのデジタル放送受信用チューナを含む受像機、１１は広告の放送を行う広告放送局、１２は放送権料を収入とし受像機１０を安価に配布する配布会社、１３は広告代理店、１４は広告主であるスポンサー、１５は受像機１０を製造するメーカー、１６は受像機１０を使う視聴者である。
【００１７】
先ず、広告主であるスポンサー１４が広告代理店１３を通じ、広告放送を広告放送局１１に依頼する。この広告放送で放送される広告は、従来のように動画による広告でも良く、静止画や文字のみの広告でも良い。広告放送局１１は広告を放送することにより、スポンサー１４が広告費を広告代理店１３に支払い、広告代理店１３は広告放送費を広告放送局へ支払う。
【００１８】
一方、配布会社１２は、予め２つのデジタル放送受信用チューナのうちの１つを広告放送局１１に選局固定した受像機１０をメーカー１５に特別に作らせる。広告放送局１１は、配布会社１２が配布する受像機１０のチューナの選局固定に対する対価を支払い、配布会社１２の収入となる。配布会社１２は、受像機１０を視聴者１６に直接安価に販売、若しくは無償で提供する。その際、受像機１０は１台ずつＩＤ番号及び選局固定解除キー設定され、配布先の視聴者情報（例えば氏名、住所等）と共に配布会社１２で登録・管理される。
【００１９】
尚、受像機１０には選局固定解除キーの代わりに、選局固定を解除するプログラムを組み込んでおいても良い。
【００２０】
図２は受像機１０の概略構成及び周辺機器も含めたブロック図である。
【００２１】
図２において、受像機１０は、セットトップボックス（以下、ＳＴＢと略す）と呼ばれる受信機２１と、ディスプレイ２２で概略構成されている。又、２３はデジタル放送受信アンテナ、２４はリモコン送信機、２５はＳＴＢ２１に接続する電話回線、２６は受像機ＩＤ番号と視聴者情報（氏名や住所等）及びチューナ選局固定解除キーが組み込まれているスマートカードである。又、スマートカード２６には、有料放送受信契約をしていた場合、契約のＩＤ情報も組み込まれる。
【００２２】
ＳＴＢ２１には、広告放送局１１に選局固定されたＢＳ／ＣＳデジタルチューナＡ２０１と、選局固定されていないＢＳ／ＣＳデジタルチューナＢ２０２と、スクランブル解除ＩＣ２０３と、映像と音声とデータを分離するデマックス２０４と、映像及び音声を伸張するデコーダ２０５と、複数の画面を合成するマルチスクリーン制御ＩＣ２０６と、ディスプレイ用の信号に変換するディスプレイＩ／Ｆ２０７と、ハードディスク用Ｉ／Ｆ２０８と、ハードディスク２０９と、ＳＴＢ全体を制御するマイクロプロセッサ（以下、ＭＰＵと略す）２１０と、データを一時記憶するメモリ２１１と、データを表示するためのグラフィックコントローラ２１２と、カードインターフェース２１３と、リモコン受像機２１４と、電話回線と接続するためのモデム２１５と、チューナＡ２７が受信・表示した広告放送の表示時間をカウントし積算する（或は規定時間から減算する）タイマー回路２１６、音声を切り替えるスイッチ回路２１７が内蔵されている。
【００２３】
このＳＴＢ２１では、ＢＳ／ＣＳデジタルチューナ２０１、２０２で受信したＭＰＥＧ２のストリームは、スクランブル解除ＩＣ２０３でスクランブルを解除され、デマックス２０４によって映像・音声・付加データに分けられる。この内、映像と音声はデコーダ２０５によって復元し、マルチスクリーン制御２０６で合成し、どちらか一方の番組、或は２番組同時にディスプレイ２２に出力することができる。
【００２４】
又、電子番組表や番組情報などの付加データについては、ＭＰＵ２１０にて解析し、適時グラフィックコントローラ２１２を通じて画面に表示することができる。
【００２５】
更に、チューナＡ２０１で受信・表示した広告放送は、タイマー回路２１６で監視した表示時間は積算されて（或は規定時間から減算されて）、ハードディスク用Ｉ／Ｆ２０８を介し、ハードディスク２０９に保存される。
【００２６】
尚、スマートカード２６に組み込まれているチューナ選局固定解除キーに代わりに、配布会社１２が規定した広告視聴時間に達すると選局固定を解除するプログラムを組み込んでおいても良い。又、前記プログラムは、ハードディスク２０９等の記憶装置に組み込んでおいても良く、特に限定されるものではない。
【００２７】
図３は本発明のディスプレイへの表示例を示している。
【００２８】
図３において、３１は有料放送を表示した状態を示し、チューナＢ２０２で受信した有料放送画面がディスプレイ全体に表示される。３２は無料放送を表示した状態を示し、チューナＢ２０２で受信した無料放送画面がディスプレイ上側に表示され、チューナＡ２０１で受信した広告放送がディスプレイ下側に表示される。このとき、ディスプレイ下側に表示される広告放送は、付加データ、例えばデータ放送のような文字データや静止画像等のようなものが望ましい。
【００２９】
３３は広告放送のみを表示した状態を示し、チューナＡ２０１で受信した広告放送がディスプレイ全体に表示される。このときに表示される広告放送は、一般の放送局のような動画像による広告放送でも、データ放送のような文字データと静止画像による広告放送のどちらでも良い。
【００３０】
尚、無料放送を表示する場合、３４に示すように、無料放送画面をディスプレイ右側（或は左側）に表示し、広告放送をディスプレイ左側（或は右側）に表示するようにしても良く、３５に示すように無料放送画面の中に広告放送画面を入れて表示しても良い。このときに表示される広告放送は、３３のような広告放送画面のみ表示したときと同様に、動画像による広告放送でも、データ放送のような文字データと静止画像による広告放送のどちらでも良い。又、無料放送と広告放送が同時に表示される画面３２，３４，３５は、リモコン送信機２４を使って順次切り替えるようにしても良い。
【００３１】
そして、３６の表に示すように、各画面表示のときの音声は、３１のように有料放送が表示されたときは、有料放送の音声が出力され、３２や３４、３５のように無料放送と広告放送が２画面で表示されたときは無料放送の音声が優先的に出力される。又、３３のように広告放送が表示されたときは広告放送の音声が出力される。このときの音声の切り替えはＭＰＵ２１０に制御され、スイッチ回路２１７で行われる。
【００３２】
図４はリモコン送信機の説明図である。
【００３３】
図４において、４１はＳＴＢの電源のオン／オフを制御するための電源ボタン、４２は予め放送局を登録してある１２個の選局ボタン、４３は放送局を順に切り替えるチャンネル切替ボタン、４４はＢＳ／ＣＳ放送局のチャンネル番号を直接入力するためのＢＳ／ＣＳボタン、４５は契約している有料放送に切り替える有料放送ボタン、４６は広告放送局を直接選局するための広告ボタン、４７は決定ボタン、４８は音量調整ボタン、４９は画面選択ボタンである。
【００３４】
このリモコン送信機を使って選局するときは、通常、１２個の選局ボタン４２を何れかを押して選局し、それ以外の放送局を選局するときは、チャンネル切替ボタン４３を使って順に切り替えて行うか、ＢＳ／ＣＳボタン４４を押し、続けて３桁のチャンネル数をボタン４２を押し、更に決定ボタン４７を押すことで選局できる。契約している有料放送を視聴したいときは、有料放送ボタン４５を押し、続けてチャンネル切替ボタン４３を押して選局する。広告放送だけを視聴したいときは、広告ボタン４６を押して表示する。
【００３５】
広告画面と無料放送画面が同時に表示されている状態３２，３４，３５のときに画面選択ボタン４９を押すと、広告画面と無料放送画面の音声が順次切り替えられる。
【００３６】
尚、この画面選択ボタン４９は、チューナＡ２０１の選局固定解除された後は、チューナＡ２０１とチューナＢ２０２切り替え操作に使用できる。
【００３７】
図５は受像機１０の電源ＯＮからＯＦＦまでの選局処理のフローチャートである。
【００３８】
電源が投入された受像機１０の内部では、先ずステップ５０１でＨＤＤ２０９に保存してある広告放送の累計表示時間を読み出す（ステップ５０１）。尚、購入当初は、広告表示時間が積算される場合は、配布会社１２で予め広告視聴時間が０で入力されている。
【００３９】
次に、読み出された表示時間が配布会社１２が規定した規定時間に達しているか判断する（ステップ５０２）。規定時間に達している場合は、直ちにモデム２１５を介して受像機ＩＤ及び視聴者情報等が配布会社１２へ送信される（ステップ５０３）。
【００４０】
ステップ５０２で規定時間に達していない場合は、ステップ５０４へ進み、リモコン送信機２４の信号が到来したか否かが判断される。
【００４１】
リモコン送信機２４からの信号が到来した場合は、それが無料放送の番組選局を指示するものか判断され（ステップ５０５）、番組選局だった場合は、直ちに選局処理（ステップ５０６）が行われ、広告放送画面と番組との２画面表示になると同時に、選局された番組に切り替り（ステップ５０７）、その後、ステップ５０２に戻る。
【００４２】
ステップ５０５でリモコン送信機２４からの信号が番組選局を指示するものでなかったときは、ステップ５０８で広告放送受信を指示するものか否かが判断される。
【００４３】
広告放送受信を指示するものであれば、ステップ５０９に進みチューナＡ２７で選局固定されている広告が画面全体に表示され、続いてステップ５０２同様に、ステップ５１０で広告放送局１１からの広告放送の表示された時間が配布会社１２が規定した規定時間に達しているか判断する。規定時間に達している場合は、直ちにモデム２１５を介して受像機ＩＤが配布会社１２へ送信される（ステップ５１１）。
【００４４】
ステップ５１０で規定時間に達していない場合は、ステップ５１２へ進み、リモコン送信機２４の信号が到来したか否かが判断される。
【００４５】
リモコン送信機２４からの信号が到来した場合は、それが番組選局を指示するものか判断するステップ５０５へと戻る。
【００４６】
ステップ５０８で広告放送受信を指示するものでなければ、ステップ５１３で有料放送受信を指示するものか判断される。
【００４７】
有料放送受信を指示するものであれば、ステップ５１４でスマートカード２６に組み込まれている契約者ＩＤが確認され、ステップ５１５で番組選局処理が行われる。
【００４８】
その後、広告放送画面が消され、受信された有料放送が画面全体に表示され（ステップ５１６）、ステップ５１７へ進み、リモコン送信機２４の信号が到来したか否かが判断される。
【００４９】
リモコン送信機２４からの信号が到来した場合は、それが番組選局を指示するものか判断するステップ５０５へと戻る。
【００５０】
ステップ５１３でリモコン送信機２４からの信号が有料放送受信を指示するもので無かったときは、電源ボタン４１が押された否かが判断される（ステップ５１８）。電源ボタン４１を押されたものでなかったときはサブルーチン５１９へ進み、例えば、音量調整のような、リモコン送信機２４の内容に対応する処理がなされる。
【００５１】
ステップ５１８で電源ボタン４１が押されたと判断されたときは、広告放送受信時間がタイマー回路２１６とＭＰＵ２１０によって計算され、ＨＤＤ２０９に保存され（ステップ５２１）、その後、電源が落とされる。
【００５２】
尚、ステップ５０３，５１１で、広告視聴時間が規定時間に達したときに、モデム２１５を介して受像機ＩＤが配布会社１２へ送信する代わりに、予め、組み込まれていた選局固定解除プログラムを実行し、チューナＡ２０１の選局固定を解除し、解除した結果を受信機ＩＤと共に配布会社１２へモデム２１５を介して通知しても良い。
【００５３】
又、広告表示時間が、配布会社１２で規定された表示時間から減算されてカウントされる場合は、ＨＤＤ２０９には規定時間が入力されており、ステップ５０２，５１０で規定時間から広告表示時間が減算された時間が０になっているか判断するようにしても良い。
【００５４】
又、ステップ５２１で積算された広告放送受信時間がＨＤＤ２０９に保存される代わりに、規定時間から広告表示時間をタイマー回路２１６とＭＰＵ２１０によって減算した結果をＨＤＤ２０９に保存するようにしても良い。
【００５５】
図６は本発明の広告放送局側の説明図である。
【００５６】
図６において、６１は放送する広告放送の映像データ、６２は映像データをデジタル圧縮するためのエンコーダ、６３は放送する広告放送の音声データ、６４は音声データをデジタル圧縮するためのエンコーダ、６５は広告放送の付加データ、６６は映像／音声データを時分割合成するマルチプレクサ、６７はデータを放送周波数にて変調する変調機、６８は放送信号を電波に変換するアンテナである。
【００５７】
広告放送局では、広告放送を構成する要素のうち、映像データ６１をエンコーダ６２によってＭＰＥＧ２等にデジタル圧縮し、音声データ６３はエンコーダ６４によってＡＡＣやＡＣ３等にデジタル圧縮し、付加データ６５を加えたものを広告として作成する。まとめられた広告は、広告放送局からＢＳ放送センター等に集められ、変調を掛けた後、放送用アンテナ６８からＢＳ放送衛星に送信する。この部分は、直接地上波放送アンテナにより放送しても構わず、ＣＳ通信衛星を使用しても同様である。
【００５８】
図７は本発明のチューナ選局固定解除のフローを説明する図である。
【００５９】
先ず、視聴者側に設置してある受像機１０の内部で広告放送局１１からの広告放送の表示された時間がタイマー回路２１６とＭＰＵ２１０によって積算され、配布会社１２が規定した規定時間に達したと判断された後（ステップ７１）、直ちにモデム２１５を介し、スマートカード２６に組み込まれた受像機ＩＤと視聴者情報が配布会社１２へ送信される（ステップ７２）。
【００６０】
配布会社１２では、受像機ＩＤと視聴者情報が登録されているものか確認され（ステップ７３）、確認できた後にチューナ選局固定解除キーが発行され（ステップ７４）、電話回線により視聴者側へ解除キーが送られてくる（ステップ７５）。解除キーの送信方法は、電子メールを使ったものでも、ＦＡＸによるものでも良い。
【００６１】
次に、視聴者は送られてきたチューナ選局固定解除キーを受像機１０にリモコン送信機２４等を使って入力する（ステップ７６）。受像機１０内部では、入力された解除キーが予めスマートカード２６に組み込まれている解除キーと一致しているか確認された後、チューナ選局固定機能が解除され、チューナＡ２７とチューナＢ２８のダブルチューナ受像機として使用できるようになる（ステップ７７）。
【００６２】
尚、ステップ７１で広告表示時間が配布会社１２で規定された表示時間から減算されてカウントされる場合は、規定時間から広告表示時間が減算された時間が０になると、予め、組み込まれている選局固定解除プログラムが実行され、ステップ７２で受信機ＩＤと選局固定解除結果を配布会社１２へモデム２１５を介して送信されるようにし、ステップ７３で受信機ＩＤと選局固定解除結果を集計・管理し、ステップ７４〜７７は行わないようにしても良い。
【００６３】
図８は配布会社１２と広告放送局１１の間の広告放送権及びチューナの選局固定に対する対価支払いに関するフローを説明する図である。
【００６４】
先ず、受像機を配布希望する視聴者のＩＤとチューナ選局固定解除キーを発行し受像機を視聴者へ配布する（ステップ８１）。新規契約者と既契約者数の総数をまとめ（ステップ８２）、既に配布済の受像機で広告視聴時間が規定時間を超え、チューナ選局固定解除キーを発行した視聴者数を差し引き（ステップ８３）、視聴者数に応じた選局固定に対する対価を広告放送局へ請求する（ステップ８４）。この対価の請求は、月毎の集計のより行うが、週単位で行っても良い。広告放送局は、配布会社より請求された対価を支払う（ステップ８５）。
【００６５】
尚、対価は視聴者数に応じて決めれば良い。又、広告表示時間が配布会社１２で規定された表示時間から減算されてカウントされる場合は、ステップ８１で選局固定解除通知数を集計し、ステップ８３で新規契約者と既契約者数の総数から選局固定解除通知数を差し引くようにしても良い。
【００６６】
本発明では、構成要素動作が同じならば、前述実施の形態に限らない。例えば、ＳＴＢをディスプレイ筐体内に内蔵した形態でも実施できる。又、受像機配布会社は、独立した法人でも良く、広告放送局でも受像機製造会社内においても構わない。更に、チューナはアナログ地上波放送用のチューナでも実現可能である。
【００６７】
【発明の効果】
以上の説明で明らかなように、本発明によれば、受像機の配布会社は受像機のチューナを広告放送局に選局固定する対価を収入とすることで、視聴者に受像機を安価に販売、又は無償で提供することができる。
【００６８】
又、視聴者は安価又は無償で受像機を入手でき、入手後も支払い負担がなく、スポンサー及び広告代理店は広告放送を従来よりも効率良く視聴してもらうことができ、メーカーは受像機の販売台数増加が見込め、更にデジタル放送を広く普及させることが可能となる。
【図面の簡単な説明】
【図１】本発明の実施形態のシステム図である。
【図２】本発明の受像機の概略構成及び周辺機器も含めたブロック図である。
【図３】本発明のディスプレイへの表示例を示す図である。
【図４】本発明のリモコン送信機の説明図である。
【図５】本発明の受像機の電源ＯＮからＯＦＦまでの選局処理のフローチャートである。
【図６】本発明の広告放送局側の説明図である。
【図７】本発明のチューナ選局固定解除のフローを説明する図である。
【図８】本発明の配布会社と広告放送局の間の放送権及び放送権料に関するフローを説明する図である。
【符号の説明】
１０  受像機
１１  広告放送局
１２  配布会社
１３  広告代理店
１４  スポンサー
１５  メーカー
１６  視聴者
２１  ＳＴＢ
２２  ディスプレイ
２３  アンテナ
２４  リモコン送信機
２５  電話回線
２６  スマートカード
３１  有料放送を表示した状態
３２  無料放送を表示した状態
３３  広告のみを表示した状態
３４  無料放送画面をディスプレイ右側に表示した状態
３５  無料放送画面の中に広告放送画面を表示した状態
３６  音声と各放送画面との関係を示す表
４１  電源ボタン
４２  選局ボタン
４３  チャンネル切替ボタン
４４  ＢＳ／ＣＳボタン
４５  有料放送ボタン
４６  広告ボタン
４７  決定ボタン
４８  音量調整ボタン
４９  画面選択ボタン
６１  広告放送の映像データ
６２  エンコーダ
６３  広告放送の音声データ
６４  エンコーダ
６５  付加データ
６６  マルチプレクサ
６７  変調機
６８  アンテナ
２０１  チューナＡ
２０２  チューナＢ
２０３  スクランブル解除ＩＣ
２０４  デマックス
２０５  デコーダ
２０６  マルチスクリーン制御ＩＣ
２０７  ディスプレイＩ／Ｆ
２０８  ハードディスク用Ｉ／Ｆ
２０９  ハードディスク
２１０  マイクロプロセッサ
２１１  メモリ
２１２  グラフィックコントローラ
２１３  カードインターフェース
２１４  リモコン送信機
２１５  モデム
２１６  タイマー回路
２１７  スイッチ回路
【図１】
2004227504.tif 000003
【図２】
2004227504.tif 000004
【図３】
2004227504.tif 000005
【図４】
2004227504.tif 000006
【図５】
2004227504.tif 000007
【図６】
2004227504.tif 000008
【図７】
2004227504.tif 000009
【図８】
2004227504.tif 000010